(57)【要約】【課題】玄関扉等に取り付けて使用する際に慣性力により履物が揺動することを抑制し、履物の損傷や履物底の汚れの飛散を防止すると共に、見栄えが良く使用価値の高い履物収納具を提供する。【解決手段】支持部材Ｄに対向する背板１Ｂと、背板１Ｂとの間を履物Ｓの収納空間とするように、背板１Ｂから前方へ離間する前板１Ｆと、背板１Ｂ及び前板１Ｆを連結する連結部材４と、背板１Ｂ及び前板１Ｆ間の左右方向中間部分を仕切る仕切２と、背板１Ｂ及び前板１Ｆ間の左右方向端部に設けられた、履物Ｓの左右方向外側への抜け落ちを規制する抜止部材５と、背板１Ｂの外面に取り付けた、支持部材Ｄに吸着するシート状磁石３とを備え、前記収納空間における仕切２により隔てられた個別の履物収納部ＣＬ，ＣＲに、履物の左右ＳＬ，ＳＲを、それらの爪先側を下向きとした状態で個別に収納する。【選択図】図１
2011000213.tif 000002
【特許請求の範囲】
【請求項１】
扉、壁又は側板等の略垂直な面を有する支持部材に取り付けられ、該支持部材に履物底を向けた状態で履物を保持する履物収納具であって、
前記支持部材に対向する背板と、
該背板との間を前記履物の収納空間とするように、前記背板から前方へ離間する前板と、
前記背板及び前板を連結する連結部材と、
前後方向に延び、前記背板及び前板間の左右方向中間部分を仕切る単又は複数個の仕切と、
前記背板及び前板間の左右方向端部にこれらと一体又は別体に設けられた、前記履物の左右方向外側への抜け落ちを規制する抜止部材と、
前記背板の外面に取り付けた、前記支持部材に吸着する吸着手段とを備え、
前記収納空間における前記仕切により隔てられた個別の履物収納部の各々に、前記履物の左右を、それらの爪先側を下向きとした状態で個別に収納する履物収納具。
【請求項２】
履物の甲から爪先に向かって窄まる部分がフィットしやすいように、前記収納空間を下方が窄まる形状としてなる請求項１記載の履物収納具。
【請求項３】
履物の爪先に向かって幅が小さくなる部分がフィットしやすいように、前記仕切の左面を下方へ行くにしたがって左方向へ傾斜させ、前記仕切の右面を下方へ行くにしたがって右方向へ傾斜させてなる請求項１記載の履物収納具。
【請求項４】
履物の甲を前記前板の内面に添わせた状態で、履物底が前記支持部材に接触しないように、前記前板を下方に行くにしたがって後方へ傾斜させてなる請求項１記載の履物収納具。
【請求項５】
前記背板を上方及び下方の少なくともどちらかに延長して前記履物底と前記支持部材との間に介在させてなる請求項１記載の履物収納具。
【請求項６】
前記吸着手段がシート状磁石である請求項1記載の履物収納具。
【発明の詳細な説明】
【技術分野】
【０００１】
本発明は、扉、壁又は側板等に取り付けられ、前記扉等に履物底を向けた状態で履物を保持する履物収納具に関するものである。
【背景技術】
【０００２】
履物を載置する棚を備えた履物収納具ではなく、扉、壁又は側板等に取り付けられ、前記扉等に履物底を向けた状態で履物を保持するようにした履物収納具として、履物を掛ける２本の突起部及びその根本に取り付けた磁石部により構成され、玄関等の金属扉の屋内側金属面に前記磁石部を吸着保持せしめ、前記突起部に履物を掛けて収納することにより、通常は使用されない玄関等の金属扉を利用して、玄関等における履物の収納場所を確保することにより履物を整理可能にするもの（特許文献１参照。）、可撓性長方形板の両端に吸盤を取り付けて構成され、可撓性長方形板を丸めた状態で前記吸盤により机又はロッカーの側板等に吸着保持せしめ、可撓性長方形板により形成された空間内に履物を収納することにより、通常は使用されない机又はロッカーの側板等を利用して、机の下、ロッカー内又は扉の周辺等における履物の収納場所を確保することにより履物を整理可能にするもの（特許文献２参照。）等がある。
これらのような履物収納具によれば、通常は使用されない箇所を利用して履物が散乱しないように整頓することができるとともに、履物底を扉、壁又は側板等に向けた状態で保持することから、履物が邪魔になりにくいため空間を有効活用することができる。
【先行技術文献】
【特許文献】
【０００３】
【特許文献１】特開平１０−３７６３０号公報
【特許文献２】特開２００６−３３３８７５号公報
【発明の概要】
【発明が解決しようとする課題】
【０００４】
しかしながら、特許文献１のような履物収納具では、爪先側を上向きとした状態の履物の履口に突起部を入れるようにして、２本の突起部に左右の履物を掛ける構成であることから履物が揺動しやすく、したがって、玄関等の扉が開閉された際の慣性力により左右の履物が揺動し、左右の履物同士が擦れて傷付くことや、突起部が履物を変形させたり履物の内面を擦って傷付けることがある。
その上、履物底が汚れている場合に、前記慣性力により左右の履物が揺動して履物底の汚れが飛散し、玄関等の扉を汚すことがある。
その上さらに、磁石部からアーム状に延びる突起部を設けているため、突起部に履物を掛けた状態では揺動しやすく不安定な履物全体が露出すること、突起部に履物を掛けない状態では突起部全体が露出することから、特に家の外部と内部の接点であり家の顔である玄関の扉内面に取り付けて使用する際に、見栄えが悪いものである。
【０００５】
また、特許文献２のような履物収納具では、玄関又はロッカーの扉等の開閉部材への取付けは想定していないと考えられるが、仮に前記開閉部材に取り付けて使用した場合においては、可撓性長方形板を丸めて形成された空間内に左右の履物をこれらが接触した状態で収納する構成であることから、前記開閉部材が開閉された際の慣性力により、変形しやすい可撓性長方形板の内側で接触している左右の履物が揺動し、左右の履物同士が擦れて傷付くことや左右の履物同士が互いに押し合って変形する場合がある。
その上、２個の吸盤を用いて可撓性長方形板を取り付ける構成であることから、履物が水平方向及び前後方向に揺動しやすく、よって、履物底が汚れている場合において、履物底が対向する前記開閉部材に接触して前記開閉部材を汚すことや、前記開閉部材が開閉された際の慣性力により履物が揺動し、履物底の汚れが飛散して前記開閉部材を汚すことがある。
その上さらに、特に履物を収納していない場合において、可撓性長方形板が垂れ下がった状態になるとともに吸盤が目視されるため、特に家の外部と内部の接点であり家の顔である玄関の扉内面に取り付けて使用する際に、見栄えが悪いものである。
【０００６】
そこで本発明が前述の状況に鑑み、解決しようとするところは、特に玄関又はロッカーの扉等の開閉部材に取り付けて使用する際に慣性力により履物が揺動することを抑制し、履物の損傷や履物底の汚れの飛散を防止することができるとともに、見栄えが良く使用価値の高い履物収納具を提供する点にある。
【課題を解決するための手段】
【０００７】
本発明に係る履物収納具は、前記課題解決のために、扉、壁又は側板等の略垂直な面を有する支持部材に取り付けられ、該支持部材に履物底を向けた状態で履物を保持する履物収納具であって、前記支持部材に対向する背板と、該背板との間を前記履物の収納空間とするように、前記背板から前方へ離間する前板と、前記背板及び前板を連結する連結部材と、前後方向に延び、前記背板及び前板間の左右方向中間部分を仕切る単又は複数個の仕切と、前記背板及び前板間の左右方向端部にこれらと一体又は別体に設けられた、前記履物の左右方向外側への抜け落ちを規制する抜止部材と、前記背板の外面に取り付けた、前記支持部材に吸着する吸着手段とを備え、前記収納空間における前記仕切により隔てられた個別の履物収納部の各々に、前記履物の左右を、それらの爪先側を下向きとした状態で個別に収納するものである。
【０００８】
ここで、履物の甲から爪先に向かって窄まる部分がフィットしやすいように、前記収納空間を下方が窄まる形状としてなると好ましい。
【０００９】
また、履物の爪先に向かって幅が小さくなる部分がフィットしやすいように、前記仕切の左面を下方へ行くにしたがって左方向へ傾斜させ、前記仕切の右面を下方へ行くにしたがって右方向へ傾斜させてなると好ましい。
【００１０】
さらに、履物の甲を前記前板の内面に添わせた状態で、履物底が前記支持部材に接触しないように、前記前板を下方に行くにしたがって後方へ傾斜させてなると好ましい。
【００１１】
さらにまた、前記背板を上方及び下方の少なくともどちらかに延長して前記履物底と前記支持部材との間に介在させてなると好ましい。
【００１２】
また、前記吸着手段がシート状磁石であると好ましい。
【発明の効果】
【００１３】
本発明に係る履物収納具によれば、扉、壁又は側板等の略垂直な面を有する支持部材に取り付けられ、該支持部材に履物底を向けた状態で履物を保持する履物収納具であって、前記支持部材に対向する背板と、該背板との間を前記履物の収納空間とするように、前記背板から前方へ離間する前板と、前記背板及び前板を連結する連結部材と、前後方向に延び、前記背板及び前板間の左右方向中間部分を仕切る単又は複数個の仕切と、前記背板及び前板間の左右方向端部にこれらと一体又は別体に設けられた、前記履物の左右方向外側への抜け落ちを規制する抜止部材と、前記背板の外面に取り付けた、前記支持部材に吸着する吸着手段とを備え、前記収納空間における前記仕切により隔てられた個別の履物収納部の各々に、前記履物の左右を、それらの爪先側を下向きとした状態で個別に収納するので、棚の上に履物を載置する構成ではなく、略垂直な面を有する支持部材に履物底を対向させた状態で保持することができるため、通常は使用されない箇所を利用して履物が散乱しないように整頓することができるとともに、履物が邪魔になりにくいため空間を有効活用することができる。
【００１４】
その上、背板と前板との間の収納空間における仕切により隔てられた個別の履物収納部の各々に履物の左右を個別に収納することから、仕切によって履物が離間した状態が保持されるため、履物同士が擦れて傷付くこと及び履物同士が互いに押し合って変形することを防止することができる。
その上さらに、個別の履物収納部に収納された履物が安定した状態で保持され、この安定保持状態を前記支持部材が玄関又はロッカーの扉等の開閉部材である場合であっても維持することができるとともに、履物収納部に履物を収納していない状態でも、吸着手段が背板に隠れて視認できないとともに、連結部材により背板に連結された前板が、特許文献１のように突起が露出するようなものではなく、特許文献２のように垂れ下がることもなく、履物を収納している状態と同様のスマートな形状を保っている。
よって、特に家の外部と内部の接点であり家の顔である玄関の扉の内面に履物収納具を取り付けて使用する際にも見栄えが良く、その使用価値を高めることができる。
【００１５】
また、履物の甲から爪先に向かって窄まる部分がフィットしやすいように、前記収納空間を下方が窄まる形状としてなると、前記効果に加え、履物の甲から爪先に向かって窄まる部分が収納空間にフィットし、個別の履物収納部に収納された履物がより安定した状態となるため、玄関又はロッカーの扉等の開閉部材に履物収納具を取り付けて使用して慣性力が作用した際における履物の揺動を抑制することができる。
よって、前記開閉部材に履物収納具を取り付けて使用する際における左右の履物同士の擦れによる損傷や履物底の汚れの飛散を防止することができる。
【００１６】
さらに、履物の爪先に向かって幅が小さくなる部分がフィットしやすいように、前記仕切の左面を下方へ行くにしたがって左方向へ傾斜させ、前記仕切の右面を下方へ行くにしたがって右方向へ傾斜させてなると、前記効果に加え、履物の爪先に向かって幅が小さくなる部分が仕切の左右面にフィットし、個別の履物収納部に収納された履物がより安定した状態となるため、玄関又はロッカーの扉等の開閉部材に履物収納具を取り付けて使用して慣性力が作用した際における履物の揺動を抑制することができる。
よって、前記開閉部材に履物収納具を取り付けて使用する際における左右の履物同士の擦れによる損傷や履物底の汚れの飛散を防止することができる。
【００１７】
さらにまた、履物の甲を前記前板の内面に添わせた状態で、履物底が前記支持部材に接触しないように、前記前板を下方に行くにしたがって後方へ傾斜させてなると、前記効果に加え、爪先側を下向きとした履物を支持部材に履物底を向けて収納する際に、履物の甲を前板の内面に添わせた状態とすることにより履物底が支持部材に接触しないため、履物収納時に履物底の汚れが支持部材に付着することがない。
その上、履物を取り出す際にも、履物の甲を前板の内面に添わせた状態から前板の傾斜に添って引き上げることにより履物底が支持部材に接触しないため、履物取出時に履物底の汚れが支持部材に付着することがない。
【００１８】
また、前記背板を上方及び下方の少なくともどちらかに延長して前記履物底と前記支持部材との間に介在させてなると、前記効果に加え、背板の延長部分が履物底と支持部材との間に介在するため、履物収納時等に前記延長部分に被われた支持部材に対して履物底の汚れが付着することがない。
【００１９】
さらに、前記吸着手段がシート状磁石であると、前記効果に加え、支持部材が鉄等の強磁性体である場合に、履物収納具を容易に着脱することができるとともに、面積が大きく薄く変形しやすいシート状磁石が支持部材の取付面に沿って密着するため、支持部材に対して背板をより近づけた状態で見栄え良く取り付けることができる。
その上、履物収納具が汚れた際に、支持部材から履物収納具を容易に取り外して水洗い等により清掃することができる。
【図面の簡単な説明】
【００２０】
【図１】本発明の実施の形態に係る履物収納具を扉に取り付けて履物を収納した状態を示す斜視図である。
【図２】同履物収納具及びこれに収納する履物の例を示す斜視図である。
【図３】同履物収納具の左方から見た縦断面図であり、支持部材及び履物を二点鎖線で示している。
【図４】履物収納具のバリエーションを示す斜視図であり、（ａ）は背板を上方に延長した構成を、（ｂ）は背板を上方及び下方に延長した構成を示している。
【図５】履物収納具のバリエーションを示す斜視図であり、（ａ）は前板を後方へ屈曲させた形状として該屈曲部を仕切とする構成を、（ｂ）は背板を前方へ屈曲させた形状として該屈曲部を仕切とする構成を示している。
【図６】履物収納具のバリエーションを示す斜視図であり、（ａ）〜（ｃ）は底板を設ける構成例を、（ｄ）は仕切のみを連結部材とする構成例を示している。
【発明を実施するための形態】
【００２１】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、支持部材に履物底を向けた履物を履物収納具に収納した状態で、履物の表側を前、履物底側（支持部材側）を後とし、左右は前方に向かって言うものとする。
【００２２】
図１に示すように、本発明の実施の形態に係る履物収納具Ａは、扉、壁又は机の側板若しくは幕板等の略垂直な面を有する支持部材Ｄに取り付けられ、支持部材Ｄに履物底Ｂを向けた状態で一足の履物Ｓを保持するものである。
なお、略垂直な面を有する支持部材Ｄは、引戸であってもよく、ロッカーの側板やキャビネット等の引出しの前板等であってもよい。
また、図１では、履物Ｓの例としてハイヒールを示しているが、履物Ｓはハイヒールに限定されるものではなく、他の短靴又はサンダル若しくはスリッパ等であってもよい。
【００２３】
図１〜図３に示すように、履物収納具Ａは、支持部材Ｄに対向する背板１Ｂ、背板１Ｂの左右端から前方へ延びる左右側板１Ｌ，１Ｒ、左右側板１Ｌ，１Ｒの前端同士を繋ぐ前板１Ｆからなる周板状（水平断面が角部に丸みを持たせた薄肉矩形管状）である本体１と、本体１と一体に形成された、前後方向に延び、背板及１Ｂび前板１Ｆ間の左右方向中間部分を仕切る仕切２と、背板１Ｂの外面（後面）に例えば接着により取り付けられた、吸着手段である、ゴム磁石又はプラスチック磁石等のシート状磁石３とにより構成され、背板１Ｂと背板１Ｂから前方へ離間した前板１Ｆとの間隔を履物Ｓの収納空間としている。
【００２４】
図１〜図３の履物収納具Ａの構成において、左右側板１Ｌ，１Ｒ及び仕切２が、背板１Ｂ及び前板１Ｆを連結する連結部材４であり、左右側板１Ｌ，１Ｒが、履物Ｓの左右方向外側への抜け落ちを規制する抜止部材５である。
ここで、本体１は、ポリプロピレン、ポリアセタール若しくはナイロン等の合成樹脂の射出成形、又は、アルミニウム、マグネシウム若しくは亜鉛等の軽合金のダイカスト等により、仕切２も含めて一体成形されるが、仕切２は本体１と別体に製作して本体１に取り付けてもよい。
【００２５】
吸着手段であるシート状磁石３は支持部材Ｄが鉄等の強磁性体である場合に用いられ、支持部材Ｄが鉄等の強磁性体ではなく磁石が吸着しない場合は、吸着手段として、シート状磁石３ではなく吸盤又は両面テープ等を使用することができる。
例えば玄関扉である支持部材Ｄが鉄等の強磁性体であり、吸着手段としてシート状磁石３を用いた場合には、履物収納具Ａを容易に着脱することができるとともに、面積が大きく薄く変形しやすいシート状磁石３が支持部材Ｄの取付面に沿って密着するため、支持部材Ｄに対して背板１Ｂ（本体１）をより近づけた状態で見栄え良く取り付けることができる。
また、履物収納具Ａが汚れた際に、支持部材Ｄから履物収納具Ａを容易に取り外して水洗い等により清掃することができる。
【００２６】
図２に示すように、履物Ｓの収納空間は、上述のとおり背板１Ｂと背板１Ｂとの間に形成されており、仕切２により左脚側の履物である左履物ＳＬを収納する左履物収納部ＣＬと右脚側の履物である右履物ＳＲを収納する右履物収納部ＣＲとが個別に形成され、左右の履物ＳＬ，ＳＲを、それらの爪先（足先）側を下向きとした状態で、上側から履物収納部ＣＬ，ＣＲに入れることにより、図１に示すように履物収納具Ａに個別に収納される。
また、上述のとおり、抜止部材５（左右側板１Ｌ，１Ｒ）により、左右の履物ＳＬ，ＳＲの左右方向外側への抜け落ちを防止することができる。
【００２７】
また、履物Ｓの収納空間は、履物Ｓの甲から爪先に向かって窄まる部分がフィットしやすいように、下方が窄まる形状（上面開口が下面開口よりも大きく、水平断面の開口が下方に行くにしたがって小さくなる形状）とされ、仕切２は、履物Ｓの爪先に向かって幅が小さくなる部分がフィットしやすいように、その左面を下方へ行くにしたがって左方向へ傾斜させ、その右面を下方へ行くにしたがって右方向へ傾斜させた形状とされる。
さらに、前板１Ｆは、図１及び図３に示すように、履物Ｓの甲を前板１Ｆの内面（後面）に添わせた状態で、履物底Ｂが支持部材Ｄに接触しないように、下方に行くにしたがって後方へ傾斜させている。
【００２８】
以上のような履物収納具Ａの構成によれば、棚の上に履物Ｓ（ＳＬ，ＳＲ）を載置する構成ではなく、略垂直な面を有する支持部材Ｄに履物底Ｂを対向させた状態で履物Ｓを保持することができるため、通常は使用されない箇所を利用して履物Ｓが散乱しないように整頓することができるとともに、履物Ｓが邪魔になりにくいため空間を有効活用することができる。
また、背板１Ｂと前板１Ｆとの間の収納空間における仕切２により隔てられた個別の履物収納部ＣＬ，ＣＲの各々に左右の履物ＳＬ，ＳＲを個別に収納することから、仕切２によって左右の履物ＳＬ，ＳＲが離間した状態が保持されるため、左右の履物ＳＬ，ＳＲ同士が擦れて傷付くことや左右の履物ＳＬ，ＳＲ同士が互いに押し合って変形することを防止することができる。
【００２９】
さらに、個別の履物収納部ＣＬ，ＣＲに収納された左右の履物ＳＬ，ＳＲが安定した状態で保持され、この安定保持状態を支持部材Ｄが玄関又はロッカーの扉等の開閉部材であり開閉する場合であっても維持することができるとともに、履物収納部ＣＬ，ＣＲに履物ＳＬ，ＳＲを収納していない状態でも、シート状磁石３が背板１Ｂに隠れて視認できないとともに、連結部材４により背板１Ｂに連結された前板１Ｆが、特許文献１のように突起が露出するようなものではなく、特許文献２のように垂れ下がることもなく、履物ＳＬ，ＳＲを収納している状態と同様のスマートな形状を保っている。
よって、特に家の外部と内部の接点であり家の顔である玄関の扉の内面に履物収納具Ａを取り付けて使用する際にも見栄えが良く、その使用価値を高めることができる。
【００３０】
さらにまた、履物Ｓの甲から爪先に向かって窄まる部分がフィットしやすいように、前記収納空間を下方が窄まる形状としていることから、履物Ｓの甲から爪先に向かって窄まる部分が下方に窄まる形状の前記収納空間にフィットし、個別の履物収納部ＣＬ，ＣＲに収納された左右の履物ＳＬ，ＳＲがより安定した状態となるため、玄関又はロッカーの扉等の開閉部材に履物収納具Ａを取り付けて使用して慣性力が作用した際における履物Ｓの揺動を抑制することができる。
また、履物Ｓの爪先に向かって幅が小さくなる部分がフィットしやすいように、仕切２の左面を下方へ行くにしたがって左方向へ傾斜させ、前記仕切の右面を下方へ行くにしたがって右方向へ傾斜させていることから、履物Ｓの爪先に向かって幅が小さくなる部分が仕切２の左右面にフィットし、個別の履物収納部ＣＬ，ＣＲに収納された履物ＳＬ，ＳＲがより安定した状態となるため、前記開閉部材に履物収納具Ａを取り付けて使用して慣性力が作用した際における履物Ｓの揺動を抑制することができる。
よって、前記開閉部材に履物収納具Ａを取り付けて使用する際における左右の履物ＳＬ，ＳＲ同士の擦れによる損傷や履物底Ｂの汚れの飛散を防止することができる。
【００３１】
さらに、履物Ｓの甲を前板１Ｆの内面に添わせた状態で、履物底Ｂが支持部材Ｄに接触しないように、前記前板を下方に行くにしたがって後方へ傾斜させていることから、爪先側を下向きとした履物Ｓを支持部材Ｄに履物底Ｂを向けて収納する際に、履物Ｓの甲を前板１Ｆの内面に添わせた状態とすることにより履物底Ｂが支持部材Ｄに接触しないため、履物収納時に履物底Ｂに付着した汚れが支持部材Ｄを汚すことがない。
また、履物Ｓを取り出す際にも、履物Ｓの甲を前板１Ｆの内面に添わせた状態から前板１Ｆの傾斜に添って引き上げることにより履物底Ｂが支持部材Ｄに接触しないため、履物取出時に履物底Ｂに付着した汚れが支持部材Ｄを汚すことがない。
【００３２】
履物収納具Ａの背板１Ｂは、図４（ａ）に示すように上方へ延長、又は、図４（ｂ）に示すように上方及び下方へ延長等、上方及び下方の少なくともどちらかに延長して履物底Ｂと支持部材Ｄとの間に介在させるようにしてもよく、このような構成によれば、背板１Ｂの延長部分が履物底Ｂと支持部材Ｄとの間に介在するため、履物収納時等に前記延長部分に被われた支持部材Ｄに対して履物底Ｂの汚れが付着することがない。
【００３３】
また、図５（ａ）に示すように履物収納具Ａの前板１Ｆの左右方向中央部を後方へ屈曲させた形状とし、この屈曲部を仕切２としてもよく、図５（ｂ）に示すように背板１Ｂの左右方向中央部を前方へ屈曲させた形状とし、この屈曲部を仕切２としてもよい。
すなわち、前後方向に延びて左右方向の空間を仕切る仕切２は、前板１Ｆ及び背板１Ｂの少なくともどちらかに接続されていればよく、左右の履物収納部ＣＬ，ＣＲを形成することができるものであればよい。
このように、仕切２は、背板１Ｂと背板１Ｂとの間に形成された履物Ｓの収納空間を境界線で完全に仕切って区画するものでなくてもよい。
さらに、例えば図５（ｂ）の構成において、前板１Ｆの左右方向中央に上下方向のスリットがあってもよい。すなわち、左右側板１Ｌ，１Ｒの前端から左右方向内側に延びる前板前板１Ｆは、例えば図２のように左右側板１Ｌ，１Ｒの前端同士を繋ぐ構成に限定されるものではなく、左右方向の中央で分離していてもよい。
【００３４】
さらにまた、図６（ａ）〜（ｃ）に示すように、履物収納具Ａに履物Ｓの爪先側が挿通される孔が形成された底板１Ｄを設けて、これを連結手段４としてもよく、このような構成を採用した場合には、履物Ｓの左右方向外側への抜け落ちを規制する抜止部材５を、図６（ａ）のように板材を背板１Ｂ及び前板１Ｆの左右端に渡設したものとしてもよいし、図６（ｂ）のように前後に分離させた板材を背板１Ｂ及び前板１Ｆの左右端に前後方向内側に突設したものとしてもよいし、図６（ｃ）のように前板１Ｆ自体を平面視において例えば円弧状のように屈曲させてその左右端を後方へ傾斜させたものとしてもよい。
また、図６（ｄ）に示すように、背板１Ｂ及び前板１Ｆを連結する連結部材４を、仕切２のみとしてもよい。図６（ｄ）のように仕切２を連結部材４とし、前板１Ｆ自体を抜止部材５とした場合には、履物収納具Ａを非常に簡素に構成することができる。
【００３５】
以上の説明においては、履物収納具Ａに一足の履物Ｓ（ＳＬ，ＳＲ）を収納する構成を示したが、履物収納具Ａに二足以上の履物Ｓ，…を収納するように構成してもよい。
このように、二足以上の履物Ｓ，…を収納するには、背板及１Ｂび前板１Ｆ間の左右方向中間部分に、前後方向に延びて左右方向の空間を仕切る仕切２を、３個、５個，…設けることになる。
例えば、二足の履物を収納するためには仕切２を３個設けて履物収納部を４個とし、三足の履物を収納するためには仕切２を５個設けて履物収納部を６個とすればよく、すなわち、履物収納具Ａには奇数個の仕切２，…を設けるようにすればよい。
なお、仕切２の個数は、必ずしも奇数でなくてもよく、すなわち、本発明の履物収納具Ａにおいて、仕切２は単又は複数個設けられる。
【符号の説明】
【００３６】
Ａ  履物収納具
Ｂ  履物底
ＣＬ，ＣＲ  履物収納部
Ｄ  扉（支持部材）
Ｓ  履物
ＳＬ  左履物
ＳＲ  右履物
１  本体
１Ｂ  背板
１Ｄ  底板
１Ｆ  前板
１Ｌ  左側板
１Ｒ  右側板
２  仕切
３  シート状磁石（吸着手段）
４  連結部材
５  抜止部材
【図１】
2011000213.tif 000003
【図２】
2011000213.tif 000004
【図３】
2011000213.tif 000005
【図４】
2011000213.tif 000006
【図５】
2011000213.tif 000007
【図６】
2011000213.tif 000008